(57)【要約】      （修正有）【課題】テレビ等の１台のオーディオ機器の音声を電波到達範囲内で、当該オーディオ機器から離れた場所で任意の音量で聴取できるデジタルワイヤレス送受信機を提供する。【解決手段】オーディオ入力に入力された信号をデジタル化し搬送波を使って送信する送信機２と、その内部の基板内に音声回路とは別にマイク回路を組み込み、マイク入力端子８にマイクを接続して音声信号を受信機３に伝送でき、その送信機２から送信された信号をアナログ信号に変換し、オーディオ出力端子及び内蔵スピーカ１７から出力する受信機３とからなり、送信機２をオーディオ機能具備機器１にオーディオケーブル２５で接続し、電波到達範囲内において信号を受信した受信機３に、イヤホン１５、１６又は内蔵スピーカで受信した信号を音声変換して聴取できるようにし、当該受信機３は、内部の基板内にＤＳＰなどを使った音声処理を行い、人の声の周波数帯域を意図的に高く設定する。【選択図】図１
0003211370.tif 000002
【実用新案登録請求の範囲】
【請求項１】
オーディオ入力に入力された信号をデジタル化して搬送波を使って送信する機能を有す
る送信機（２）と、当該送信機内部の基板内に音声回路とは別にマイク専用回路を組み込
まれ、マイク専用回路を組み込んで受信機裏面のマイク入力端子（８）にアナログマイク
（３０）・（３０′）を接続すると、マイクで拾った音声データを受信機（３）に伝送で
きるように構成し、その送信機（２）から送られてきた信号を受信してアナログ信号に変
換し、音声調節機構を介してオーディオ出力端子（１８）及び内蔵スピーカ（１７）から
出力する機能を有する受信機（３）とからなり、送信機（２）をテレビ又はオーディオプ
レーヤ等のオーディオ機能具備機器（１）にオーディオケーブル（２５）を接続した送信
機（２）で電波到達範囲内において信号を受信した受信機（３）に付属の耳かけイヤホン
（１５）もしくはイヤホン（１６）、ヘッドホン（１６′）を選択して接続、又は内蔵ス
ピーカ（１７）を選択し、当該受信機（３）は、その内部の基板内にＤＳＰ及び音声フィ
ルター回路を使った、音声処理を行い、人の声の周波数帯域である２KHz帯を中心に３０
０Hz〜１０KHzを意図的に高く設定し、且つ、それ以外の低音域および高音域を意図的に
下げて、人の声が明瞭に聞こえるように設定し、当該受信機（３）の電気信号を音声変換
して聴取できるように構成したことを特徴とするデジタルワイヤレス送受信機。
【請求項２】
送信機（２）は、２．４GHZ又は５．０GHZの搬送波を使って受信機（３）に送信する機
能を有し、携帯可能な本体の上面部に電源スイッチ（４）、背面部にＤＣソケット（５）
、テレビ/オーディオ音声入力端子（６）、光デジタル音声入力端子（７）、マイク入力
端子（８）、ペアリングボタン（１０）、正面部に電源オン・オフ兼用のペアリング機能
作動確認ランプ（１１）がそれぞれ設けられ、受信機（３）は、本体の上面に受信機を携
帯できるようにストラップを差し込むストラップホルダー（２４）、イヤホンもしくはヘ
ッドホン又はスピーカ用オーディオケーブルを接続できるオーディオ端子（１８）が設け
られ、本体の正面にボリュームボタン（１９）、音声明瞭スイッチ（２８）、内臓スピー
カ（１７）、電源オン・オフ兼用のペアリング機能作動確認ランプ（２１）、正面下部に
単三乾電池（１２）を収容できる乾電池カバー（２３）を有し、その側面にＡＣアダプタ
（１３）の使用も可能なＤＣソケット（２２）、電源スイッチ（１４）、ペアリングボタ
ン（２０）を設けた請求項１記載のデジタルワイヤレス送受信機。
【請求項３】
受信機（３）で受信する送信機（２）から発信される識別ＩＤコードを認識するペアリ
ング機能を有するペアリングボタン（１０）・（２０）及び電源オン・オフ兼用のペアリ
ング機能作動確認ランプ（１１）・（２１）を送信機（２）と受信機（３）に設けること
で、同じ電波帯を利用した他社製品と認識・接続しない請求項１又は請求項２記載のデジ
タルワイヤレス送受信機。
【考案の詳細な説明】
【技術分野】
【０００１】
本考案は、デジタルワイヤレス送受信機に関するもので、テレビの音声やオーディオプ
レーヤからの再生音を電波の到達範囲の場所において、当該電波を受信する受信機で音声
に変換して受信機の内蔵スピーカ又は付属の耳かけイヤホンもしくはイヤホンもしくはヘ
ッドホンを任意に選択して仕切パネルその他の多色の障害物があっても、音声発生装置と
変わらない音質の音声を聴取できるようにしたものである。
【背景技術】
【０００２】
一般に家中において、テレビやステレオの音声を大音量で聞くには、１人の場合や好き
な者同士の場合であれば問題がなく、また、隣家に騒音として聞こえないような状況であ
れば特段の支障がない。
【０００３】
ところが、例えば家の中で1台のテレビを見ている者が、音量を下げて視聴したい者と
、大音量で聞きたい者が同居している場合にその条件を叶えることは難しい。
【０００４】
この場合、隣接する部屋にもう１台のテレビがあれば、そこで大音量で視聴することが
可能であるが、その大音量が隣接の部屋に響いて騒音になる。
【０００５】
また、一つの部屋で耳が遠い人と健常者が1台のテレビやオーディオプレーヤから音声
を聴く場合、健常者は普通の音量でよいが、耳の遠い人にとっては聴き取りにくいことに
なる。
【先行技術文献】
【特許文献】
【０００６】
【特許文献１】実用新案登録第３１７３９９５号公報
【考案の概要】
【考案が解決しようとする課題】
【０００７】
上記の特許文献１は、本件出願人の登録実用新案に係るものであって、その構成は、デ
ジタルワイヤレス送受信機において、送信機を、携帯可能な本体の平面部に電源スイッチ
、背面にＤＣソケット、テレビ又はオーディオプレーヤのオーディオ機能具備機器のケー
ブル、オーディオ接続端子、ペアリング機能作動キー及び電源オン・オフ兼用のペアリン
グ機能確認ランプがそれぞれ設けられ、受信機は手持ち式であり、本体の側面にオーディ
オ端子が設けられ、底部に乾電池の収容部を有し、その側面にＡＣアダプタの使用も可能
なＤＣソケットが設けられ、また当該側面に電源スイッチ、イヤホンもしくはヘッドホン
又はスピーカ用ケーブルの接続端子、音量調節ダイヤル、ペアリング機能作動キー、ペア
リング機能作動確認ランプを設けたものである。
【０００８】
これによって、特許文献１の考案には下記の効果がある。すなわち、第１に、テレビや
オーディオプレーヤ等の音声発生装置からの入力した信号を送信機でデジタル化した搬送
波を使って電波が届く約３０ｍの範囲であれば、室内のドアーや比較的簡素な壁等の障害
物が存在していても受信機のイヤホンもしくはヘッドホン又はスピーカのいずれか一つを
任意に選択してテレビやオーディオプレーヤの音声を自由な音量で聴取することができる
。
【０００９】
第２に、２．４GHZの電波帯を使ったコードレス送受信機によって、テレビやオーディ
オプレーヤがある部屋においては、スピーカからの音量を小さくし、他方襖や壁もしくは
天井等で仕切られた離れた最大約３０ｍの範囲まで、音声出力端子側から送信機及び受信
機を介して大音量で聴取できる。したがって、就寝者がいたり、深夜において、テレビの
音楽番組やオーディオプレーヤでオーケストラ音楽を大音量で楽しみたい場合にテレビ等
がある部屋から離れた場所に居ながらにして、また、歩きながらでも聴取できる。
【００１０】
第３に、テレビを見たり、画面を有するゲーム機を使う部屋の音声が他の部屋に漏れる
と、迷惑が掛かるような場合は、本考案に係る受信機にイヤホンやヘッドホンで聴くこと
によって大音量でも聞こえる音声であっても他の部屋に聞こえることがない。しかも、こ
の場合、受信機を持てば、部屋中を自由に移動することができる。なお、音量を大きくし
てもよい場合は、ミニスピーカや普通のスピーカを受信機に接続して当該スピーカから聴
取することができる。
【００１１】
第４に、耳の遠い高齢者であっても受信機にイヤホンやヘッドホンを接続することによ
って、例えばテレビから音声を大きい音量で楽々と聴き取ることができる。この場合、健
常者はテレビのスピーカから通常の音声で聞くことができるから、同じ部屋で１台のテレ
ビを一緒に楽しむことができる。
【００１２】
第５に、受信機を複数台（最大で１６台）揃えて同時聴取が可能になる。その増設の際
には、増設する受信機のペアリング機能作動キーボタンを短時間（例えば３秒）作動する
ことによって簡単に設定することができる効果がある。
【００１３】
それでも、上記特許文献１には、人の声が明瞭に聞こえるように設定も可能な音声明瞭
機能やスピーカの非格納、電源の自動オフ・自動オン、マイクによる人の声の伝送、受信
機の増設台数等の点において、改良を要する課題が存在している。
【課題を解決するための手段】
【００１４】
本考案は、上記従来の問題点を解決するために提供するものである。
【００１５】
本考案の第１は、デジタルワイヤレス送受信機において、オーディオ入力に入力された
信号をデジタル化して搬送波を使って送信する機能を有する送信機と、当該送信機内部の
基板内に音声回路とは別にマイク専用回路を組み込んであり、マイク専用回路を組み込む
ことにより、受信機裏面のマイク入力端子にアナログマイクを接続すると、マイクで拾っ
た音声データを受信機に伝送できるように構成し、その送信機から送られてきた信号を受
信してアナログ信号に変換し、音声調節機構を介してオーディオ出力端子及び内蔵スピー
カから出力する機能を有する受信機とからなり、送信機をテレビ又はオーディオプレーヤ
等のオーディオ機能具備機器にオーディオケーブルを接続した送信機で電波到達範囲内に
おいて信号を受信した受信機に付属の耳かけイヤホンもしくはイヤホン、ヘッドホンを選
択して接続、又は内蔵スピーカを選択し、当該受信機は、その内部の基板内にＤＳＰ（IC
※半導体）及び音声フィルター回路を使った、音声処理を行い、人の声の周波数帯域であ
る２KHz帯を中心に３００Hz〜１０KHzを意図的に高く設定し、且つ、それ以外の低音域お
よび高音域を意図的に下げることにより、人の声が明瞭に聞こえるように設定も可能とし
、当該受信機の電気信号を音声変換して聴取できるように構成したものである。
【００１６】
本考案の第２は、上記第１の考案に係るデジタルワイヤレス送受信機において、
送信機は、２．４GHZ又は５．０GHZの搬送波を使って受信機に送信する機能を有し、携帯
可能な本体の上面部に電源スイッチ、背面部にＤＣソケット、テレビ/オーディオ音声入
力端子、光デジタル音声入力端子、マイク入力端子、ペアリングボタン、正面部に電源オ
ン・オフ兼用のペアリング機能作動確認ランプがそれぞれ設けられ、
受信機は、本体の上面に送信機を携帯できるようにストラップを差し込むストラップホル
ダー、イヤホンもしくはヘッドホン又はスピーカ用オーディオケーブルを接続できるオー
ディオ端子が設けられ、本体の正面にボリュームボタン、音声明瞭ボタン、内臓スピーカ
、電源オン・オフ兼用のペアリング機能作動確認ランプ、正面下部に乾電池を収容できる
単三乾電池カバーを有し、その側面にＡＣアダプタの使用も可能なＤＣソケット、電源ス
イッチ、ペアリングボタンを設けたものである。
【００１７】
本考案の第３は、上記第１及び第２の考案に係るデジタルワイヤレス送受信機において
、受信機で受信する送信機から発信される識別ＩＤコード（メーカーコード及び製品コー
ド）を認識するペアリング機能を有するペアリングボタン及び電源オン・オフ兼用のペア
リング機能作動確認ランプを送信機と受信機に設けることで、同じ電波帯を利用した他社
製品と認識・接続しないものである。
【考案の効果】
【００１８】
本考案は上記の構成であるから、特許文献１の効果を有するほか、次のような効果があ
る。
第１に、送信機にマイク専用回路を内蔵し、マイク入力端子を増設したことにより、こ
れを使用する者の声がマイクで受信者側に届けることができ、声を聴取することができる
。
第２に、光デジタル入力端子を設けたことにより、電波影響によるホワイトノイズを大
幅に減少させることができる。
第３に、受信機内部の基板内にＤＳＰ（IC※半導体）及び音声フィルター回路を使って
、音声処理を行い、人の声の周波数帯域（2KHz帯を中心に300Hz〜10KHz）を意図的に高く
設定し、それ以外の低音域および高音域を意図的に下げることにより、人の声が明瞭に聞
こえるように設定も可能とした。
第４に、受信機の最も目立つ正面に音声明瞭スイッチとボリュームボタンを設けること
により、操作がし易くなると共に、且つ受信機の正面内部にスピーカを設けたので、受信
機から直接音声を聴取して楽しむことができる。
第５に、音声出力以外の消費電力を全て小さくしたことによって、受信機用の消費電力
を大幅に抑えることができるので、単三乾電池２本で付属の耳かけイヤホン使用で従来の
１０時間を約３倍の３０時間の連続使用が可能となった。
第６に、受信機の台数も、従来の１６台に比べて、無制限に増設できることが可能であ
るから、多人数が集まる大きい集会室での同時使用ができる。
第７に、テレビなどのオーディオ機器のＵＳＢ端子から送信機に電源を供給している場
合のみ、テレビの電源と連動して、当該送信機の電源がオン・オフする。
第８に、ＡＣアダプタから家庭用コンセント経由にて送信機の電源を供給している場合
は、テレビの音声やオーディオプレーヤからの再生音の信号がない状態で、約2分経過す
ると送信機の電源が自動的に切れ、当該送信機の電源オン・オフ兼用のペアリング機能作
動確認ランプが消灯となり、消費電力がなくなる。
第９に、送信機の電源が切れてから、約2分経過すると受信機の電源が自動的に切れ、
当該受信機の電源オン・オフ兼用のペアリング機能作動確認ランプが消灯となり、消費電
力がなくなる。
第１０に、受信機で受信する送信機から発信される識別ＩＤコード（メーカーコード及
び製品コード）を認識するペアリング機能を送信機と受信機に設けることで、同じ電波帯
を利用した他社製品と認識・接続しないものである。
【図面の簡単な説明】
【００１９】
【図１】本考案に係る視聴機器のシステム構成の概略図である。
【図２】送信器の背面図である。
【図３】送信機の正面図である。
【図４】送信機の上面図である。
【図５】受信機の正面図である。
【図６】受信機の側面図である。
【図７】受信機の上面図である。
【図８】受信機の背面図である。
【図９】テレビから送信機への電源供給を示す概略図であり、同図（Ａ）はＵＳＢ端子を有し、同図ＢはＡＣアダプタを有するものを示す。
【図１０】マイク使用による送信機から受信機への伝送状態を示す概略図である。
【図１１】本案に係る送受信機を講習会等の多人数で使用している状態の概略図である。
【考案を実施するための形態】
【００２０】
本考案は上記の構成において、音声発生機器は、テレビもしくはオーディオプレーヤな
どがあり、これらにいずれも音声出力端子を有している。
【００２１】
上記音声出力端子３２にオーディオケーブル２５の一端のプラグを挿入し、他端のプラ
グを送信機２のテレビ/オーディオ音声入力端子６又は光デジタル音声入力端子７に挿着
する。
【００２２】
図９（Ｂ）において、ＡＣアダプタ９にＵＳＢケーブル３５のＵＳＢコネクタ３４を差
し込み、ＵＳＢケーブル３５のプラグを送信機２のＤＣソケット５に接続し、当該ＡＣア
ダプタ９を部屋のコンセントに挿入する。
また、図９（Ａ）において、ＵＳＢ端子３３があるテレビなどにＵＳＢケーブル３５の
ＵＳＢコネクタ３４を直接挿入しても、送信機の電源の供給は可能である。
【００２３】
次に、受信機３には、その前面下部に設けてある蓋付きの電池収容部に単三乾電池１２
を収容し、上面のオーディオ端子１８に付属の耳かけイヤホン１５もしくはイヤホン１６
、ヘッドホン１６′を選択して接続、又は内蔵スピーカ１７を選択する。
【００２４】
この状態で、送信機２の電源スイッチ４及び受信機３の電源スイッチ１４をオンにする
と、テレビから送信機に入力された信号を搬送波を使って送信し、当該送信機２から送ら
れてきた信号をテレビ及び送信機２から離れた場所において、受信機３で受信してアナロ
グ信号に変換し付属の耳かけイヤホン１５や内蔵スピーカ１７、ヘッドホン１６′などを
介して聴取することができる。
【００２５】
次に、受信機３は、本体の上面に受信機を携帯できるようにストラップを差し込むスト
ラップホルダー２４、イヤホンもしくはヘッドホン又はスピーカ用オーディオケーブルを
接続できるオーディオ端子１８が設けられ、本体の正面にボリュームボタン１９、音声明
瞭ボタン２８、内臓スピーカ１７、電源オン・オフ兼用のペアリング機能作動確認ランプ
２１、正面下部に単三乾電池１２を収容できる電池カバー２３を有し、その側面にＡＣア
ダプタ１３の使用も可能なＤＣソケット２２、電源スイッチ１４、ペアリングボタン２０
が具備されている。
【００２６】
上記の受信機３のオーディオ端子１８には、付属の耳かけイヤホン１５もしくはイヤホ
ン１６、ヘッドホン１６′を選択して接続、又は内蔵スピーカ１７を選択する。
【実施例】
【００２７】
図において、１はテレビ１′又はオーディオ機器１″等のオーディオ機能具備機器であ
り、それぞれにオーディオ出力端子３２が具備されている。２はオーディオ機能具備機器
１のオーディオ出力を受信機に送るための送信機、３は送信機２からの音声電波（信号）
を２．４GHZ 又は５．０GHZ の電波帯を使って受信するための片手で持てる手持ち式及び
スタンド２９を引き出すことにより据え置きも可能な受信機である。
【００２８】
上記の送信機２は、片手で持てる程の比較的小型で円形型を成し、その円形上面に電源
スイッチ４、背面にＤＣソケット５、テレビ/オーディオ音声入力端子６、光デジタル音
声入力端子７、マイク入力端子８、ペアリングボタン１０、正面に電源オン・オフ兼用の
ペアリング機能作動確認ランプ１１が設けられている。
【００２９】
上記の送信機２には、テレビ/オーディオ音声入力端子６から入力されたアナログ信号
をデジタル化、又は光デジタル音声入力端子７から入力された信号を、さらにデジタル変
調をかけて搬送波（２．４GHZ 又は５．０GHZ ）を使って受信機に送信する機能を有して
いる。なお、当該送信機２における周波数２．４GHZ の周波数帯は、２．４０６GHZ から
２．４７２GHZ までの使用が可能である。
【００３０】
そして、受信機３は、携帯も可能であり単三乾電池１２を内蔵する方式であるが、ＡＣ
アダプタ１３の使用も可能になっている。また受信機３の側面に電源スイッチ１４、ペア
リングボタン２０、ＤＣソケット２２、上面には耳かけイヤホン１５もしくはイヤホン１
６ヘッドホン１６′又はスピーカ３１を接続するオーディオケーブル２５挿入用のオーデ
ィオ端子１８、送信機を携帯できるようにストラップを差し込むストラップホルダー２４
、正面にはボリュームボタン１９、音声明瞭ボタン２８、内臓スピーカ１７、電源オン・
オフ兼用のペアリング機能作動確認ランプ２１、正面下部に単三乾電池１２を収容できる
電池カバー２３が設けられている。背面の２６は挟持用クリップであり、衣服のポケット
等に挟着できるようになっており、２９のスタンドは受信機３を据え置きできるようにな
っている。
【００３１】
上記の受信機３は、送信機２から送られてきた搬送波の信号を受信してアナログ変換し
て、音量調節機構を介して付属の耳かけイヤホン１５もしくはイヤホン１６、ヘッドホン
１６′を選択、又は内蔵スピーカ１７へ音声出力する機能を有している。
【００３２】
「具体的な使用例」
「送信機２の準備」
（１）送信機２のテレビ/オーディオ音声入力端子６又は光デジタル音声入力端子７に
オーディオケーブル２５の一端のプラグを接続し、他端側のプラグをテレビ１′又はオー
ディオ機器１″等のオーディオ機能具備機器の音声出力端子３２に接続する。
（２）図９（Ｂ）において、ＡＣアダプタ９にＵＳＢケーブル３５のＵＳＢコネクタ３
４を差し込み、ＵＳＢケーブル３５のプラグを送信機２のＤＣソケット５に接続し、当該
ＡＣアダプタ９を部屋のコンセントに挿入する。
また、図９（Ａ）において、ＵＳＢ端子３３があるテレビ１′などにＵＳＢケーブル３
５のＵＳＢコネクタ３４を直接挿入しても、送信機２の電源の供給は可能である。
【００３３】
「受信機３の準備」
「単三乾電池を使用する場合」
（１）受信機３の正面下部の電池カバー２３を外して単三乾電池１２を収納する。
（２）電池カバー２３で単三乾電池１２に蓋をする。
【００３４】
「ＡＣアダプタを使用する場合」
（１）ＡＣアダプタ１３のプラグを受信機３のＤＣソケット２２に接続し、ＡＣアダプタ
１３を部屋のコンセントに挿入する。
（２）ＡＣアダプタ１３を使用するときは、単三乾電池１２からの電力入力をカットして
、ＡＣアダプタ１３からの電力入力に切り替わる。
【００３５】
「テレビの音声やオーディオプレーヤからの再生音を聴く」
（１）送信機２の電源スイッチ４を押してオンにする。
（２）受信機３の電源スイッチ１４を押してオンにする。
（３）受信機３のオーディオ端子１８に付属の耳かけイヤホン１５もしくはイヤホン１６
、ヘッドホン１６′を接続する。
（４）この状態でセッティングが終了し付属の耳かけイヤホン１５などを通じてテレビの
音声を受信機のボリュームを調整して聴くことができる。
（５）なお、音量を大きくしてもよい場合は、外部スピーカ３１を受信機３に接続、又は
内臓スピーカ１７で直接聴取することができる。
【００３６】
「受信機３の増設」
（１）受信機３を増やすことで増設できる台数が無制限で同時に聴取が可能となる。
（２）送信機２のペアリングボタン１０を押し、ペアリング機能作動を開始させる。これ
によって、送信機２の電源オン・オフ兼用のペアリング機能作動確認ランプ１１が点滅に
変わる。
（３）受信機３のペアリングボタン２０を押し、ペアリングが終了すると、送信機２の電
源オン・オフ兼用のペアリング機能作動確認ランプ１１及び受信機３の電源オン・オフ兼
用のペアリング機能作動確認ランプ２１が点灯する。
【００３７】
上記のセット完了により、テレビ１′又はオーディオ機器１″等のオーディオ機能具備
機器の音声が出力端子３２から送信機２に入り、当該送信機から２．４GHZ又は５．０GHZ
の電波帯によって受信機３で受け、当該受信機の付属の耳かけイヤホン１５もしくはイヤ
ホン１６、ヘッドホン１６′又は内蔵スピーカ１７を通じて、電波到達範囲内において離
れた場所においてもテレビ１′又はオーディオ機器１″等のオーディオ機能具備機器の音
声そのままの音質で聴取できる。
【産業上の利用可能性】
【００３８】
本考案に係る実施品は、電波法に基づく小電力データ通信システムの無線設備として受
けられるものであり、当該実施品を無線局の免許を必要としないで使用することができる
。
本考案は、テレビの視聴だけではなく、オーディオプレーヤやスマートフォンやタブレ
ットにも接続可能であるから、付属の耳かけイヤホンや内蔵スピーカもしくは手持ちのイ
ヤホンやヘッドホンやスピーカで音声を聴取して楽しむことができる。
したがって、深夜に気に入ったアクション映画、家族の就寝後にオーケストラ音楽を聴
取したい場合や、１階の居間におけるテレビの音楽番組やオーディオプレーヤのオーケス
トラ音楽を２階の部屋で大音量で聴取したい場合などにおいて有効である。
また、一つの部屋に居て耳の遠い人と健常者が１台のテレビやオーディオプレーヤから
音声を聴く場合、健常者は普通の音量で、耳の遠い人は音声出力端子から送信機および受
信機を介し、付属の耳かけイヤホンや内蔵スピーカなどで音量を上げて聴くことができる
。
さらに、部屋から離れたキッチンでの炊事作業や掃除をしながらテレビ音声をはっきり
と聴くことができる。
また、テレビ視聴中に用足しにたつ場合でも、受信機を持ったまま移動することでテレ
ビの音声を途切れることなく聴取できる。
受信機の台数を無制限に増設できることが可能であるから、多人数が集まる大きい集会
室での同時使用ができる。
また、送信機にマイク入力端子を増設したことにより、これを使用する者の声がマイク
で受信者側に届けることができ、人の声を聴取することができる。
【符号の説明】
【００３９】
１…テレビ１′又はオーディオ１″等のオーディオ機能具備機器
２…送信機
３…受信機
４…電源スイッチ（送信機側）
５…ＤＣソケット（送信機側）
６…テレビ/オーディオ音声入力端子（送信機側）
７…光デジタル音声入力端子（送信機側）
８…マイク入力端子（送信機側）
９…ＡＣアダプタ（送信機側）
１０…ペアリングボタン（送信機側）
１１…電源オン・オフ兼用ペアリング機能作動確認ランプ（送信機側）
１２…単三乾電池
１３…ＡＣアダプタ（受信機側）
１４…電源スイッチ（受信機側）
１５…耳かけイヤホン
１６…イヤホン
１６′…ヘッドホン
１７…内蔵スピーカ（受信機側）
１８…オーディオ端子（受信機側）
１９…ボリュームボタン（受信機側）
２０…ペアリングボタン（受信機側）
２１…電源オン・オフ兼用ペアリング機能確認ランプ（受信機側）
２２…ＤＣソケット（受信機側）
２３…電池カバー（受信機側）
２４…ストラップホルダー（受信機側）
２５…オーディオケーブル
２６…挟持用クリップ（受信機側）
２７…ストラップ
２８…音声明瞭スイッチ（受信機側）
２９…スタンド（受信機側）
３０…アナログスタンドマイク、３０′…アナログピンマイク
３１…外部スピーカ
３２…音声出力端子
３３…ＵＳＢ端子
３４…ＵＳＢコネクタ
３５…ＵＳＢケーブル
【図１】
0003211370.tif 000003
【図２】
0003211370.tif 000004
【図３】
0003211370.tif 000005
【図４】
0003211370.tif 000006
【図５】
0003211370.tif 000007
【図６】
0003211370.tif 000008
【図７】
0003211370.tif 000009
【図８】
0003211370.tif 000010
【図９】
0003211370.tif 000011
【図１０】
0003211370.tif 000012
【図１１】
0003211370.tif 000013